(57)【特許請求の範囲】
【請求項１】
表面と裏面とを有する子守帯であって、
上部の両側それぞれに連結部を有する背当て部と、
前記背当て部の上方に配置されるヘッドサポートと、
前記背当て部の下方に配置される股支持部と、
前記股支持部の下方に配置される前当て部と、を備え、
前記前当て部を該子守帯の裏面に向けて折り返して、前記前当て部の両側それぞれを前記背当て部の連結部に着脱可能に接続することにより、前記前当て部と前記背当て部との間に乳幼児の収容空間を形成させ、
前記ヘッドサポートの両側それぞれを前記背当て部の連結部に接続することにより、前記ヘッドサポートと前記背当て部との間に乳幼児の頭部収容空間を形成させ、
前記ヘッドサポートの左右両側それぞれには、延伸部が設けられ、
前記各連結部それぞれは収納部を有し、
前記ヘッドサポートの各延伸部が対応する前記連結部の収納部に収納可能である、
ことを特徴とする子守帯。
【請求項２】
前記連結部の裏面には第１接続具が設けられると共に、前記連結部の表面には第２接続
具が設けられ、
該子守帯が第１使用状態に置かれる場合、前記ヘッドサポートの両側それぞれを前記第１接続具に接続することにより、前記ヘッドサポートと前記背当て部との間に前記頭部収容空間を形成させ、
該子守帯が第２使用状態に置かれる場合、前記ヘッドサポートを該子守帯の表面に向けて折り返した後、前記ヘッドサポートの両側それぞれを前記第２接続具に接続させる、ことを特徴とする請求項１に記載の子守帯。
【請求項３】
前記ヘッドサポートは、連結手段を介して前記背当て部の上縁に着脱可能に接続される、ことを特徴とする請求項１に記載の子守帯。
【請求項４】
前記ヘッドサポートの両側それぞれには、延伸部を有し、
該延伸部が係合手段を介して前記背当て部の連結部に着脱可能に接続される、ことを特徴とする請求項１に記載の子守帯。
【請求項５】
前記背当て部の表面両側それぞれには第１係止具が設けられ、
前記前当て部の両側それぞれには調整帯が固設されると共に、各調整帯には第２係止具が設けられ、
前記第１係止具と前記第２係止具とが相互に係合することができる、ことを特徴とする請求項１に記載の子守帯。
【発明の詳細な説明】
【技術分野】
【０００１】
本発明は、子守帯およびベビーキャリーに関し、特に子守帯と肩ベルトとから構成されるベビーキャリーに関するものである。
【背景技術】
【０００２】
ベビー用品において、乳幼児を運送するベビーカー及び乳幼児を背負うベビーキャリーは、乳幼児と一緒に出かける際によく使われている。ところが、従来のベビーキャリーは、乳幼児の頭部に対する保護が十分とは言えなく、又ヘッドサポートが設けられたとしても、乳幼児の成長することに伴ってヘッドサポートが対応できなくなり、又乳幼児を一旦ベビーキャリーから降りないと、ベビーカーに入れることができない、等の問題が存在する。
【発明の開示】
【発明が解決しようとする課題】
【０００３】
本発明の目的は、簡単の構成で容易に乳幼児の収容空間・頭部収容空間を形成することができ、又ヘッドサポートにより乳幼児の頭部を保護及びサポートすることが可能である、ヘッドサポート付き子守帯を提供することにある。
【０００４】
本発明のその他の目的は、ヘッドサポート付き子守帯を提供し、そのヘッドサポートを折り返す又は取外すことによって、子守帯を第１使用状態と第２使用状態とに転換して、容易に乳幼児の体型に応じた形態に変化させることが可能である。
【０００５】
本発明のその他の目的は、子守帯と肩ベルトとが分離可能に組み合わせたベビーキャリーを提供し、このベビーキャリーから肩ベルトを取外した後、子守帯だけをベビーカーに位置決めさせることが可能である。
【０００６】
本発明の他の目的は、乳幼児を子守帯から降りないで、子守帯に入れたままで乳幼児の運送装置（例えばベビーカー）に乗せることが可能である乳幼児の運送装置を提供することにある。
【課題を解決するための手段】
【０００７】
前記目的を達成するために、本発明の一実施態様に係る子守帯は、表面と裏面とを有する子守帯であって、上部の両側それぞれに連結部を有する背当て部と、前記背当て部の上方に配置されるヘッドサポートと、前記背当て部の下方に配置される股支持部と、前記股支持部の下方に配置される前当て部と、を備え、前記前当て部を該子守帯の裏面に向けて折り返して、前記前当て部の両側それぞれを前記背当て部の連結部に着脱可能に接続することにより、前記前当て部と前記背当て部との間に乳幼児の収容空間を形成させ、前記ヘッドサポートの両側それぞれを前記背当て部の連結部に接続することにより、前記ヘッドサポートと前記背当て部との間に乳幼児の頭部収容空間を形成させる、ことを特徴とする。
【０００８】
この構成によれば、前当て部を子守帯の裏面に向けて折り返して、前当て部の両側それぞれを背当て部の連結部に接続することにより、前当て部と背当て部との間に乳幼児の収容空間を形成させると共に、ヘッドサポートの両側それぞれを背当て部の連結部に接続することにより、ヘッドサポートと背当て部との間に乳幼児の頭部収容空間を形成させることから、簡単の構成で容易に乳幼児の収容空間・頭部収容空間を形成させることができ、又ヘッドサポートにより乳幼児の頭部を保護及びサポートすることが可能である。
【０００９】
又、好ましくは、前記ヘッドサポートの左右両側それぞれには、延伸部を有し、
前記各連結部それぞれは収納部を有し、
前記ヘッドサポートの各延伸部が対応する前記連結部の収納部に収納可能である。
【００１０】
又、好ましくは、前記連結部の裏面には第１接続具が設けられると共に、前記連結部の表面には第２接続具が設けられ、該子守帯が第１使用状態に置かれる場合、前記ヘッドサポートの両側それぞれを前記第１接続具に接続することにより、前記ヘッドサポートと前記背当て部との間に前記頭部収容空間を形成させ、該子守帯が第２使用状態に置かれる場合、前記ヘッドサポートを該子守帯の表面に向けて折り返した後、前記ヘッドサポートの両側それぞれを前記第２接続具に接続させる。
【００１１】
この構成によれば、乳幼児の体型が大きくて、ヘッドサポートが邪魔になった場合であっても、ヘッドサポートを表面側に折り返すことにより、容易に子守帯の形態を乳幼児の体型に応じた形態に変化させることが可能になる。
【００１２】
又、好ましくは、前記ヘッドサポートは、連結手段を介して前記背当て部の上縁に着脱可能に接続される。
【００１３】
又、好ましくは、前記ヘッドサポートの両側それぞれには、延伸部を有し、該延伸部が係合手段を介して前記背当て部の連結部に着脱可能に接続される。
【００１４】
又、好ましくは、前記背当て部の表面両側それぞれには第１係止具が設けられ、前記前当て部の両側それぞれには調整帯が固設されると共に、各調整帯には第２係止具が設けられ、前記第１係止具と前記第２係止具とが相互に係合することができる。
【００１５】
前記目的を達成するために、本発明の一実施態様に係るベビーキャリーは、乳幼児の収容空間を有する子守帯と、肩ベルトとを備え、前記肩ベルトは、一端が前記子守帯の上部に着脱可能に接続される、一対の第１帯体と、一端が対応する前記第１帯体の他端に接続されると共に、それぞれの他端同士が着脱可能に接続される、一対の第２帯体と、を備え、前記各第２帯体の途中が前記子守帯の下部に着脱可能に接続される、ことを特徴とする。
【００１６】
このベビーキャリーの構成によれば、子守帯の上下部に対して、肩ベルトを構成する部材が着脱可能に接続されていることから、このベビーキャリーから肩ベルトを取外した後、子守帯だけをベビーカーに位置決めさせることが可能である。即ち使用場合に応じて、このベビーキャリーにおける子守帯をベビーカーのベビーシートに転用することが可能である。
【００１７】
又、好ましくは、前記子守帯は、背当て部と、前記背当て部の下方に配置される股支持部と、前記股支持部の下方に配置される前当て部と、を備え、前記前当て部の両側それぞれを前記背当て部の両側に着脱可能に接続することにより、前記収容空間を形成させる。
【００１８】
又、好ましくは、前記第１帯体の一端が対応する前記子守帯の前当て部の一端に着脱可能に接続され、前記第２帯体の途中が前記子守帯の前当て部の他端に着脱可能に接続され、
前記前当て部の他端が前記股支持部に接続される。
【００１９】
又、好ましくは、前記背当て部の上方の両側それぞれには、外に向けて延伸するように帯状の連結部が形成され、該各連結部それぞれが、対応する前記第１帯体の一端に着脱可能に接続される。
【００２０】
又、好ましくは、前記子守帯は、更に前記背当て部の上方に配置されるヘッドサポートを有し、該ヘッドサポートの両側それぞれを前記背当て部の連結部に接続することにより、該ヘッドサポートと前記背当て部との間に乳幼児の頭部収容空間を形成させる。
【００２１】
又、好ましくは、前記肩ベルトは、更に前記第１帯体の上端と接続する連結プレートを有し、該連結プレートが係合手段を介して前記前当て部に着脱可能に接続される。
【００２２】
又、好ましくは、前記各第１帯体の一端にはＤリングが設けられ、前記連結部の自由端の近傍には、第１係合具と、該第１係合具から一定の距離をおいた第２係合具とが設けられ、前記連結部の自由端を前記第１帯体のＤリングに通した後、前記第１係合具と前記第２係合具とが相互に係合することができる。
【００２３】
前記目的を達成するために、本発明の他の実施態様に係るベビーキャリーは、上部の両側それぞれに連結部を有する背当て部と、前記背当て部の下方に配置される股支持部と、前記股支持部の下方に配置される前当て部と、を備えると共に、前記前当て部の両側それぞれを前記背当て部の両側に接続することにより、乳幼児の収容空間を形成させる子守帯と、一端が前記子守帯の前当て部の上方に着脱可能に接続されると共に、他端が前記子守帯の前当て部の下方に着脱可能に接続される肩ベルトと、を具備し、前記子守帯の連結部が前記肩ベルトの一端に着脱可能に接続される、ことを特徴とする。
【００２４】
このベビーキャリーの構成によれば、子守帯に対して、肩ベルトにおける一端及び他端が着脱可能に接続されていることから、このベビーキャリーから肩ベルトを取外した後、子守帯だけをベビーカーに位置決めさせることが可能である。使用場合に応じて、このベビーキャリーにおける子守帯をベビーカーのベビーシートに転用することが可能である。
【００２５】
又、好ましくは、前記肩ベルトは一対の第１帯体を有し、該各第１帯体は、一端が前記前当て部の上方に接続されると共に、他端が第２帯体と接続され、該第２帯体が前記前当て部の下方と接続される。
【００２６】
又、好ましくは、前記肩ベルトの両端それぞれは、係合手段を介して前記子守帯の前当て部の上方・下方に接続される。
【００２７】
又、好ましくは、前記連結部は、外に向けて帯状に延伸するように前記背当て部の上方の両側それぞれに形成され、前記連結部の自由端の近傍には、第１係合具と、該第１係合具から一定の距離をおいた第２係合具とが設けられ、前記肩ベルトの一端にはＤリングが設けられ、前記連結部の自由端を前記肩ベルトのＤリングに通した後、前記第１係合具と前記第２係合具とが相互に係合することができる。
【００２８】
前記目的を達成するために、本発明の一実施態様に係る乳幼児の運送装置は、乳幼児を収容する収容空間を有すると共に、両側それぞれに連結部を有する子守帯と、一端が前記子守帯の上部に着脱可能に接続されると共に、他端が前記子守帯の下部に着脱可能に接続される肩ベルトと、シートを有するベビーカーと、を備え、前記子守帯を前記肩ベルトと分離した後、前記ベビーカーのシートに配置する際に、前記連結部を用いて該子守帯を前記シートに位置決めさせる、ことを特徴とする。
【００２９】
この乳幼児の運送装置によれば、子守帯の上下部それぞれに対して、肩ベルトの両端が着脱可能に接続されていることから、子守帯を肩ベルトと分離した後、子守帯だけをベビーカーに位置決めさせることが可能である。即ち、子守帯及び肩ベルトからなるベビーキャリーで背負っている乳幼児を、本発明の運送装置に入れる際に、単に子守帯を肩ベルトと分離し、子守帯をベビーカーに位置決めさせるだけで済むことができ、従来のように一旦乳幼児を子守帯から降りる必要はないので、使用者の負担を低減することができ、使用者の利便性を図ることが可能である。
【００３０】
又、好ましくは、前記ベビーカーのシートには、ベルトが取付けられ、該ベルトと前記子守帯の両側の連結部とを接続することにより、前記子守帯を前記シートに位置決めさせる。
【００３１】
又、好ましくは、前記子守帯は、背当て部と、前記背当て部の下方に配置される股支持部と、前記股支持部の下方に配置される前当て部と、を備え、前記前当て部の両側それぞれを前記背当て部の両側に着脱可能に接続することにより、前記収容空間を形成させ、又、前記連結部が前記背当て部の両側に形成される。
【００３２】
又、好ましくは、前記連結部は、外に向けて帯状に延伸するように前記背当て部の上方の両側それぞれに形成されると共に、第１係合具及び第２係合具を有し、前記連結部を前記ベルトに通した後、前記第１係合具と前記第２係合具とを相互に係合することにより、前記子守帯を前記シートに位置決めさせる。
【００３３】
又、好ましくは、前記肩ベルトの一端にはＤリングが設けられ、前記第１係合具が前記連結部の自由端の近傍に設けられ、前記連結部の自由端を前記肩ベルトのＤリングに通した後、前記第１係合具と前記第２係合具とが相互に係合することができる。
【００３４】
又、好ましくは、前記連結部が、前記肩ベルトの一端に着脱可能に接続される。
【発明を実施するための最良の形態】
【００３５】
以下、本発明の実施形態について、添付の図面を参照しながら説明する。
【００３６】
［第１実施形態］
図１に示すように、本発明の第１実施形態に係るベビーキャリー１００は、子守帯１０及び肩ベルト２０から構成されている。
【００３７】
＜子守帯１０＞
先ず、図２を参照して本発明の第１実施形態に係る子守帯１０の構造を説明する。
図２は本発明のベビーキャリーを構成する子守帯及び肩ベルトを模式的に示す平面図である。
図２に示すように、表面（図面に示す面）及び裏面を有する子守帯１０は、背当て部１１、背当て部１１の上方に配置されるヘッドサポート１２、背当て部１１の下方に配置される股支持部１３、及び股支持部１３の下方に配置される前当て部１４を備える。
【００３８】
背当て部１１の下部両側それぞれには、側面部１１１が突設され、この側面部１１１の裏面には、２つの係合部材５１ｂが設けられる。
背当て部１１の表面において、上下方向の略中央で、両側それぞれに係止部材６１ｂが設けられる。
又、背当て部１１の上部両側それぞれには、外へ向けて延伸するように帯状の連結部１５が形成される。
【００３９】
ヘッドサポート１２の両側それぞれには、延伸部１２１を有し、この延伸部１２１の裏面には係合部材５３ｂが設けられる。
【００４０】
前当て部１４の下部両側それぞれには、側面部１４１が突設され、この側面部１４１の表面には、前記背当て部１１の側面部１１１に設置される２つの係合部材５１ｂと対応する２つの係合部材５１ａが設けられる。
前当て部１４の表面において、その上縁には２つの係止部材６３ｂが設けられると共に、その下縁には２つの係止部材６２ｂが設けられる。
前当て部１４の表面において、下縁の付近には３つの係合部材５２ａが設けられる。
前当て部１４の両側面部１４１それぞれには、調整帯７１が配置され、各調整帯７１の一端には係止部材６１ａが設けられる。
【００４１】
連結部１５の表面において、その背当て部１１側には、延伸部１２１に設置される係合部材５３ｂと対応する係合部材５３ａが固設されると共に、その自由端１５１側には、２つの係合部材５６ａが固設され、又その途中部には、前記２つの係合部材５６ａと対応する２つの係合部材５６ｂが固設される。
図４に示すように、連結部１５の裏面には、その内部に係合部材（図示せず）が固設される収納部１５２が設けられ、この収納部１５２は、ヘッドサポート１２の延伸部１２１を収納すると共に、ヘッドサポート１２に設置される係合部材５３ｂをその内部に固設される係合部材と係合させる、との役割を果たす。
【００４２】
＜肩ベルト＞
次に、図２を参照して本発明の第１実施形態に係る肩ベルト２０の構造を説明する。
図２に示すように、肩ベルト２０は、一対の第１帯体２１、長さが調整可能な一対の第２帯体２２、及び連結プレート２３を備える。
【００４３】
第１帯体２１は、その表面の上端には２つのＤリング７２が設けられ、その裏面の上端には係止部材６２ｂ（図２において点線で表示する）が設けられる。
一対の第１帯体２１は、上端それぞれが連結プレート２３に接続されると共に、下端それぞれに係止部材６５ａ，６５ｂが設置される。
【００４４】
長さが調整可能な一対の第２帯体２２は、その一端それぞれが第１帯体２１の下端に設置される係止部材６５ａ，６５ｂに接続されると共に、その他端それぞれに係止部材６４ａ，６４ｂが設けられる。
又、第２帯体２２には、その位置が調整可能な係止部材６３ａが設けられる。
【００４５】
＜子守帯と肩ベルトとの組み合わせ及びその使用＞
先ず、図３に示すように、前当て部１４を背当て部１１の裏面側に折り返し、前当て部１４の左右側面部１４１それぞれに設置される係合部材５１ａ,５１ａを背当て部１１の左右側面部１１１それぞれに設置される係合部材５１ｂ,５１ｂに係合させた後、前当て部１４の調整帯７１に設置される２つの係止部材６１ａ,６１ａそれぞれを背当て部１１に設置される２つの係止部材６１ｂ,６１ｂそれぞれに係合させる。
【００４６】
＜子守帯の第１使用状態＞
図４に示すように、子守帯１０を体型が小さい乳幼児に適用する場合には、ヘッドサポート１２を背当て部１１の裏面側へ傾けて、ヘッドサポート１２の両側に設置される延伸部１２１，１２１それぞれを連結部１５の収納部１５２に挿入すると共に、延伸部１２１に設置される係合部材５３ｂを収納部１５２に設置される係合部材に係合させることにより、簡単の構成で容易に乳幼児の頭部を収容する頭部収容空間が形成される。
【００４７】
次に、図２〜４に示すように、肩ベルト２０の連結プレート２３に設置される３つの係合部材５２ｂ，５２ｂ，５２ｂそれぞれを前当て部１４の下縁に設置される三つの係合部材５２ａ，５２ａ，５２ａに係合し、且つ肩ベルト２０の一対の第１帯体２１に設置される係止部材６２ｂ,６２ｂそれぞれを子守帯１０の前当て部１４に設置される係止部材６２ａ,６２ａに係合すると共に、肩ベルト２０の一対の第２帯体２２に設置される係止部材６３ａ,６３ａそれぞれを前当て部１４に設置される係止部材６３ｂ,６３ｂに係合する。
次に、図５（ａ）（ｂ）に示すように、子守帯１０の連結部１５の自由端１５１を第１帯体２１に設置されるＤリング７２を通した後、連結部１５に設置される２つの係合部材５６ａ，５６ａそれぞれと２つの係合部材５６ｂ，５６ｂそれぞれとを係合させる。
このように子守帯１０と肩ベルト２０とを結合することにより、本発明の第１実施形態に係るベビーキャリー１００が形成される。ここで、ベビーキャリー１００の子守帯１０は第１使用状態に置かれる。
【００４８】
使用者が本発明に係るベビーキャリー１００を用いて乳幼児を背負う場合には、一対の第１帯体２１，２１を肩に掛けて、第１帯体２１，２１それぞれの下端に設置される係止部材６３ｂ,６３ｂ同士を係合させると共に、使用者のウエストに応じて第２帯体２２を適切な長さに調整してから、第２帯体２２に設置される係止部材６４ａと６４ｂとを係合させることにより、安全且つ適切に乳幼児を背負うことが可能になる。
【００４９】
＜子守帯の第２使用状態＞
図６に示すように、子守帯１０を体型が大きい乳幼児に適用する場合には、ヘッドサポート１２による乳幼児にかける負担を低減するためには、ヘッドサポート１２を外側に折り返して、ヘッドサポート１２に設置される係合部材５３ｂを連結部１５に設置される係合部材５３ａに係合することにより、ヘッドサポート１２を背当て部１１の裏面に固定させることができる（第２使用状態）。
この構成によれば、乳幼児の体型が大きくて、ヘッドサポートが邪魔になった場合であっても、ヘッドサポートを表面側に折り返すことにより、容易に子守帯の形態を乳幼児の体型に応じた形態に変化させることが可能になる。
【００５０】
＜子守帯をベビーカーに適用する場合＞
又、図７に示すように、乳幼児を背負っている使用者が、乳幼児をベビーカーに入れる場合には、従来のように乳幼児を一旦子守帯から降りる必要はなく、単に子守帯１０を肩ベルト２０と分離し、子守帯１０をベビーカーに入れると共に、ベビーカーに設置される５点ベルトにおける肩ベルト８１，８１と腰ベルト８２，８２と股間ベルト８３とを係合させ、子守帯１０の連結部１５の自由端１５１を５点ベルトにおける肩ベルト８１を通した後、連結部１５における２つの係合部材５６ａ，５６ａそれぞれを２つの係合部材５６ｂ，５６ｂに係合させることにより、乳幼児を入れたままの子守帯１０がベビーカーに位置決められることができる。
【００５１】
［第２実施形態］
以下にて、図８〜図１０を参照して本発明の第２実施形態に係るベビーキャリー１００’を説明する。
本実施形態に係るベビーキャリー１００’は、子守帯１０’及び肩ベルト２０を具備するが、その肩ベルト２０は第１実施形態の構成と同様であるので、それに関する説明を省略する。
【００５２】
＜子守帯１０’＞
図８を参照して第２実施形態に係る子守帯１０’を説明する。
図８は本発明の第２実施形態に係るベビーキャリーの子守帯の一部を示す分解模式図である。
図８に示すように、子守帯１０’はヘッドサポート１２’及び子守帯本体１８’を具備する。
【００５３】
本実施形態に係る子守帯１０’は、第１実施形態に係る子守帯１０に対して、単にヘッドサポート１２’と子守帯本体１８’とが着脱可能に連結されると共に、ヘッドサポート１２’の下縁に連結手段５８ａ（例えばジッパー）が固設されることのみが異なっている。
【００５４】
子守帯本体１８’は、背当て部１１’、股支持部、前当て部、及び外に向けて帯状に延伸するように背当て部１１’の上方の両側それぞれに形成される一対の連結部１５’,１５’を具備する。本実施形態の股支持部、前当て部は、第１実施形態の股支持部１３、前当て部１４と同様であるので、それに関する説明を省略する。
図８に示すように、背当て部１１’の上縁には、ヘッドサポート１２’に設置される連結手段５８ａと噛み合う連結手段５８ｂ（例えばジッパー）が設けられる。
図８に示すように、連結部１５’の裏面には、ヘッドサポート１２’の延伸部１２５’を収納する収納部１５５’が設けられる。
【００５５】
＜子守帯と肩ベルトとの組み合わせ及びその使用＞
図９に示すように、ベビーキャリー１００’の子守帯１０’を第１使用状態に置かれる場合には、ヘッドサポート１２’に設置される連結手段５８ａと背当て部１１’に設置される連結手段５８ｂとを噛み合わせると共に、ヘッドサポート１２’の両側に形成される延伸部１２５’，１２５’それぞれを連結部１５’の収納部１５５’,１５５’に挿入することにより、ヘッドサポート１２’と背当て部１１’との間に乳幼児の頭部収容空間を形成させる。
又、図１０に示すように、乳幼児の体型が大きくて、ヘッドサポートが邪魔になった場合、即ちベビーキャリー１００’の子守帯１０’を第２使用状態に置かれる場合には、単にヘッドサポート１２’を子守帯本体１８’から取外すだけで済むことができる。
ここで、連結手段５８ａ,５８ｂはジッパーを用いるが、本発明はこれに限定されるわけではない。
【００５６】
本実施形態に係る子守帯と肩ベルトとが結合されたベビーキャリー１００’の使用方式は、第１実施形態と同様であるので、それに関する説明を省略する。
【００５７】
＜子守帯をベビーカーに適用する場合＞
又、図面には表示されていないが、前記と同様に、乳幼児を背負っている使用者が、乳幼児をベビーカーに入れる場合には、従来のように乳幼児を一旦子守帯１０’から降りる必要はなく、単に子守帯１０’を肩ベルト２０と分離し、子守帯１０’をベビーカーに入れると共に、ベビーカーに設置される５点ベルトにおける腰ベルト８２，８２を連結部１５’,１５’に通した後、５点ベルトにおける肩ベルト８１，８１と腰ベルト８２，８２と股間ベルト８３とを係合させることにより、乳幼児を入れたままの子守帯１０’がベビーカーに位置決められることができる。
【００５８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００５９】
【図１】本発明の第１実施形態に係るベビーキャリーを模式的に示す斜視図である。
【図２】図１に示すベビーキャリーを構成する子守帯及び肩ベルトを模式的に示す平面図である。
【図３】図１に示すベビーキャリーを構成する子守帯の組み合わせた状態の概略図である。
【図４】図３に示す子守帯におけるヘッドサポートを組み合わせる状態の正面図である。
【図５（ａ）】図１に示す子守帯の第１使用状態の模式図である。
【図５（ｂ）】図１に示す子守帯の第１使用状態の模式図である。
【図６】図１に示す子守帯の第２使用状態の模式図である。
【図７】子守帯をベビーカーに位置決める状態を示す模式図である。
【図８】本発明の第２実施形態に係るベビーキャリーの子守帯の一部を示す分解模式図である。
【図９】図８に示す子守帯における、ヘッドサポートと子守帯本体との結合状態を示す模式図である。
【図１０】本発明の第２実施形態に係るベビーキャリーの子守帯の第２使用状態を示す模式図である。
【符号の説明】
【００６０】
１０，１０’  子守帯
１１，１１’  背当て部
１２，１２’  ヘッドサポート
１３  股支持部
１４  前当て部
１５，１５’  連結部
１８’  子守帯本体
２０，２０’  肩ベルト
２１  第１帯体
２２  第２帯体
２３  連結プレート
５１ａ，５１ｂ  係合部材
５２ａ，５２ｂ  係合部材
５３ａ，５３ｂ  係合部材
５６ａ，５６ｂ  係合部材
５８ａ，５８ｂ  連結手段
６１ａ，６１ｂ  係止部材
６２ａ，６２ｂ  係止部材
６３ａ，６３ｂ  係止部材
６４ａ，６４ｂ  係止部材
６５ａ，６５ｂ  係止部材
７１  調整帯
７２  Ｄリング
８１  肩ベルト
８２  腰ベルト
８３  股間ベルト
１００，１００’  ベビーキャリー
１１１  背当て部１１の側面部
１２１,１２５’  延伸部
１４１  前当て部１４の側面部
１５１  連結部１５の自由端
１５２  収納部
１５５’  収納部
【図１】
0004694549.tif 000002
【図２】
0004694549.tif 000003
【図３】
0004694549.tif 000004
【図４】
0004694549.tif 000005
【図５（ａ）】
0004694549.tif 000006
【図５（ｂ）】
0004694549.tif 000007
【図６】
0004694549.tif 000008
【図７】
0004694549.tif 000009
【図８】
0004694549.tif 000010
【図９】
0004694549.tif 000011
【図１０】
0004694549.tif 000012